(57)【要約】    【課題】打ち損ないにより柄が破損した場合にもヘッドの脱落が防止できるハンマーの提供。    【解決手段】本発明に係るハンマー１は、パイプ状の柄３、この柄の前端９に装着されたヘッド５及びこの柄３の内部を通されている心棒７を備えている。この心棒の前端９がヘッド５と接合されており、この心棒７の前進を阻止する手段が備えられている。このハンマー１は、上記心棒７の前進を阻止する手段として、心棒７が柄３の後方に柄の開口径よりも大きいストッパー部１５を備えている。心棒の前進を阻止する他の手段を備えたものとして、上記心棒の後端に掛け留め具を備えていてもよい。さらに、心棒の前進を阻止する他の手段として、心棒が柄の後端に固着されていてもよい。【選択図】図１
2006110647.tif 000002
【特許請求の範囲】
【請求項１】
パイプ状の柄、
この柄の前端に装着されたヘッド、
この柄の内部を通されており、その前端がヘッドと接合されている心棒
及び
この心棒の前進を阻止する手段
を備えたハンマー。
【請求項２】
上記心棒の前進を阻止する手段として、心棒が柄の後方に柄の後端開口径よりも大きいストッパー部を備えている請求項１に記載のハンマー。
【請求項３】
上記心棒の前進を阻止する手段として、上記心棒の後端に掛け留め具を備えている請求項１に記載のハンマー。
【請求項４】
上記心棒の前進を阻止する手段として、上記心棒が上記柄の後端に固着されている請求項１に記載のハンマー。
【発明の詳細な説明】
【技術分野】
【０００１】
本発明は、ハンマーに関する。
【背景技術】
【０００２】
ハンマーが使われている間に、対象物を叩き損ねてヘッドに近い柄の部分が対象物の角等に当たることがある。この場合、大きな衝撃力が柄の一点にかかり柄が折れることがある。柄が折れないまでも、柄に生じた亀裂が、打撃が繰り返されている間に成長して破損に至る場合がある。組立体を壊すのに用いられるようなハンマーは、大きな衝撃力が加えられるように鉄塊の重いヘッドが取り付けられている。片手で操作されるこの種のハンマーでは重さを軽減するために、柄に金属製の中空パイプや樹脂製のものが用いられることが多い。この柄は、強靱な材質からなる。上記のように大きな打撃エネルギーを柄が受けると、強靱な柄でも折れてヘッドが脱落することがある。
【０００３】
ハンマーの柄が破損してヘッドが脱落することを防止するために、柄にプロテクターを取り付けることも考えられる。このプロテクターにより衝撃力の緩和が図られるが鋭角的に大きな集中応力がかかる場合には、その効果は限定的である。このプロテクタ方式によって、柄の破損に至る期間は延ばされるとしても、ヘッドの脱落が確実に防止される保証はない。
【発明の開示】
【発明が解決しようとする課題】
【０００４】
本発明は、上記のような現状に鑑みてなされたものであり、ハンマーの打ち損ないにより柄が破損した場合にもヘッドの脱落が防止できるハンマーの提供を目的としている。
【課題を解決するための手段】
【０００５】
本発明に係るハンマーは、パイプ状の柄、この柄の前端に装着されたヘッド、この柄の内部を通されており、その前端がヘッドと接合されている心棒及びこの心棒の前進を阻止する手段を備えている。
【０００６】
このハンマーは、上記心棒の前進を阻止する手段として、心棒が柄の後方に柄の後端開口径よりも大きいストッパー部を備えていることが好ましい。
【０００７】
好ましくは、このハンマーは、上記心棒の前進を阻止する手段として、上記心棒の後端に掛け留め具を備えていることである。
【０００８】
このハンマーは、上記心棒の前進を阻止する手段として、上記心棒が上記柄の後端に固着されていることが好ましい。
【発明の効果】
【０００９】
このハンマーは、柄の内部を通された心棒の前端にヘッドが装着されているので、柄が折れてもヘッドは心棒でつなぎ留められている。上記心棒は、この心棒の前進が阻止されているので、柄から分離することが防止されている。このハンマーは、打ち損じ等により柄が破損してもヘッドが脱落する心配がない。
【発明を実施するための最良の形態】
【００１０】
以下、適宜図面が参照されつつ、好ましい実施形態に基づいて本発明が詳細に説明される。
【００１１】
図１は、本発明の一実施形態に係るハンマー１が示された正面図である。図２は、このハンマー１の平面図である。図３は、図２のIII−III線に沿った断面図である。このハンマー１は、柄３と、ヘッド５と、心棒７とを備えている。このハンマー１の柄３は、パイプ状である。この柄３の前端９には、上記ヘッド５が接合されて装着されている。この柄３の内部に、柄３の全長にわたって心棒７が通されている。この心棒７の前端１１は、ヘッド５に接合されている。この心棒７の後端１３には、ストッパー部１５が備えられている。上記柄３が手で握られる領域の把手部１７には、グリップ１９が取り付けられている。グリップ１９は、柄の後端２１をも被覆している。
【００１２】
柄３は、重いヘッド５による打撃の衝撃に耐えうるように高強度の材質からなる。この柄３は、パイプ状に形成されるため金属又は合成樹脂の材質が用いられる。柄３が鉄系金属である場合には、靱性が高く高強度である通称ハイテン鋼と呼ばれる高張力鋼又は高降伏点鋼が好適に用いられる。
【００１３】
この柄３が合成樹脂からなる場合は、強度及び耐衝撃性が高い材質であることが好ましい。樹脂材料としては、ＡＢＳ樹脂（アクリロニトリル−ブタジエン−スチレン共重合体）、ポリアミド樹脂、ポリカーボネート樹脂等が好適に用いられる。これらの樹脂が補強繊維で強化された肉厚のパイプからなることがより好ましい。繊維としては、ガラス繊維、芳香族ポリアミド繊維、炭素繊維等が好適に用いられる。図２に示されている例では、柄３に鉄系パイプが用いられている。
【００１４】
この柄３の形状は、特に制限はない。通常、柄３の把手部１７の外周は、握りやすいように手のひらに適合した形状に形成されている。図１から図３に示されているように、通常は、グリップ１９の厚みにより把手部１７の形状が調節されている。この柄３のパイプが柄の後端２１に向けて拡径されて把手部１７の形状が形成されてもよい。上記パイプの形状は、先端部が断面円形で後端２１に向かってしだいに縦長になる楕円形で形成されてもよい。
【００１５】
上記グリップ１９は、ハンマー１の使用中に柄３が手から滑ることを防止する機能を有する。この滑り止め機能を備える限りグリップ１９の材質、形状に特に制限はない。グリップ１９は、通常、手に馴染みやすく、滑りにくい面から可撓性を有するゴム系の材質が好適に用いられる。ゴム系のグリップ１９は、ハンマー１の打撃により生じる衝撃振動を吸収する緩衝性も備えている。
【００１６】
このグリップ１９はまた熱伝導率が小さいため、柄３の冬季の冷たさ、夏期の暑さを軽減できる面でも好ましい。グリップ１９には、通常より滑りにくくするための溝状の模様等の凹凸模様が形成されている。このハンマー１の例では、図１及び図２に示されているように、打撃面２３を上下にしてハンマー１を振りやすいように、把手部１７の外周が断面縦長の楕円形になっている。
【００１７】
上記ヘッド５には、通常、高硬度の鋼が用いられる。このヘッド５の例では、両口ハンマーと呼ばれ上下対照の打撃面２３を有するヘッド５を備えている。このヘッド５は、打撃面２３が直径２ｃｍから４ｃｍ程度の円形又はこれと同程度の大きさの多角形であり、長さが８ｃｍから１２ｃｍ程度であり、重さは通常約１ｋｇ程度である。ヘッド５は、その側面長さ方向中央部に柄が接合される接合部２５を備えている。この接合部２５は、柄３がヘッド５に嵌合される凹部２７とこれに続き柄３を支持して補強する筒部２９とを備えている。柄３は、上記凹部２７と筒部２９とに挿入、固定される。
【００１８】
図３に示されているように、このヘッド５には、ヘッド５の中心をヘッド５の前方表面３１まで貫通して心棒取付孔３３が設けられている。この心棒取付孔３３に心棒７が嵌合される。この例のように、心棒の前端１１がオスネジを有し、心棒取付孔３３にはこれに対応するメスネジが設けられていることが好ましい。このメスネジに心棒のオスネジがねじ込まれてヘッド５と心棒７とがより確実に固定される。
【００１９】
上記心棒７は、柄３の中心を通されている。心棒７の材質及び形状は、強度に優れヘッド５をつなぎ止める役割を果たせば特に制限はない。異質材が接合されて形成されてもよいが、通常は、同一の金属からなる棒又は撚線が用いられる。この図２の金属棒からなる例では、上記のとおりヘッド５と心棒７との上記ネジ構造による締結が容易である。さらに、ヘッド５の表面溶接部３９で心棒の前端１１とヘッド５とが溶接により固定されることが好ましい。
【００２０】
柄３が合成樹脂からなる場合には、心棒７も合成樹脂から形成される方が溶着又は接着により接合しやすい面から好ましい。合成樹脂の心棒７の材質は、柄３の材質と同じか又は強度や硬度はより小さくても、靱性又は柔軟性の高いものが好ましい。この心棒７も棒材又は撚線材が好適に用いられうる。
【００２１】
この心棒の後端１３は、グリップ１９の後方に突出している。心棒７の前進を阻止する手段として、この心棒の後端１３に備えられているストッパー部１５は、柄の後端２１の開口径よりも大きい寸法を有する。このストッパー部１５の形状は、上記柄の後端２１の開口部の最大径部分を通らないものであれば特に制限はない。このハンマー１の例では、ストッパー部１５が、環状板から形成されている。心棒７は、このストッパー部１５を含んで一体に形成されている。
【００２２】
図４は、図３に示されたハンマー１の柄３が破損した様子が示された断面図である。この図に示されているように、通常、柄３が破損した場合でも、心棒７までも破断することは希であり、せいぜい心棒７が曲げられる程度にとどまる。柄３が破損したときは、惰性でヘッド５が柄３から離れようとする。このヘッド５に心棒７が固着されているため、心棒７がヘッド５側に引っ張られても、この柄の後端２１で前進が阻止される。このハンマー１は、打ち損じて、柄３が破断したときでもヘッド５が脱落する恐れが少ない。このハンマー１によれば、安心して作業ができる。
【００２３】
図５（ａ）は、本発明の他の実施形態に係るハンマー４１が示された平面図である。図５（ｂ）は、図５（ａ）のＢ−Ｂ線に沿った断面図である。このハンマー４１も、パイプ状の柄４３と、両口のヘッド４５と、心棒４７とを備えている。この柄の前端４９に、上記ヘッド５が接合されており、この柄４３の内部に心棒４７が通されている。この心棒の前端５１は、ヘッド４５と接合されている。この心棒の後端５３には、柄の後端５５の開口径より大きいストッパー部５７が備えられている。上記柄４３にはグリップ５９が取り付けられており、グリップ５９の後端は、断面が楕円形状に形成されている。その他の構成は、上記ハンマー１の場合と同様である。
【００２４】
上記ストッパー部５７は、上記グリップ５９の後端の形状に沿った楕円状板からなる。このストッパー部５７は、柄の後端５５で止められ、心棒４７が前進することを阻止する。このストッパー部５７は、楕円状板の代わりに、角が丸められた四角形の板であってもよい。このハンマー４１も、柄４３が破損してヘッド４５が脱落しようとするときに心棒４７によりヘッド４５の脱落が防止される。
【００２５】
図６（ａ）は、本発明のさらに他の実施形態に係るハンマー６１が示された平面図である。図６（ｂ）は、図６（ａ）のＢ−Ｂ線に沿った断面図である。このハンマー６１も、パイプ状の柄６３と、両口のヘッド６５と、心棒６７とを備えている。この柄の前端６９に、上記ヘッド６５が接合されており、この柄６３の内部に心棒６７が通されている。この心棒の前端７１は、ヘッド６５と接合されている。
【００２６】
このハンマー６１は、柄６３の後方において、上記心棒の後端７３に掛け留め具７５を備えている。この掛け留め具７５は、心棒６７に一体に備えられた心棒６７の環状後端６９につなぎ止められている。掛け留め具７５により心棒６７の前進が阻止されるので、この環状後端６９の大きさは、柄の後端７９開口径より小さくてもかまわない。この柄６３もグリップ８０を備えている。掛け留め具７５は、作業者のベルト、カラビナ等につなぎ留めて用いられる。その他の構成は、上記ハンマー１の場合と同様である。
【００２７】
この掛け留め具７５は、柄６３が破断したときにヘッド６５に引っ張られて心棒６７が前進するのを防止する。この掛け留め具７５は、何らかの拍子に作業者の手からハンマー６１自体が落下することも防止しうる。掛け留め具７５は、柄６３の破断等の衝撃によって切断しない材質であれば、特に限定はない。取り付け及び取り外しが便利である面から掛け留め具７５の端部にフック８１を備えることが好ましい。この掛け留め具７５は、ハンマー６１を取り扱いやすい面から、紐、鎖、その他のフレキシブルの連結材８３を備えていることが好ましい。
【００２８】
図７（ａ）は、本発明のさらに他の実施形態に係るハンマー８５が示された平面図である。図７（ｂ）は、図７（ａ）のＢ−Ｂ線に沿った断面図である。このハンマー８５も、パイプ状の柄８７と、両口のヘッド８９と、心棒９１とを備えている。この柄の前端９３に、上記ヘッド８９が接合されており、この柄８７の内部に心棒９１が通されている。この心棒の前端９５は、ヘッド８９と接合されている。この心棒の後端９７は、柄の後端９９に固着されている。この柄８７は、グリップ１０１により被覆されている。その他の構成は、上記ハンマー１の場合と同様である。
【００２９】
上記心棒９１の固着方法は、心棒９１が前方に引っ張られたときに外れない限り、特に制限はない。図６の例では、心棒の後端９７が柄の後端９９に溶接されている。この他に、接着剤、ネジ留め、かしめ留め等により固着されてもよい。このハンマー８５は、柄８７が折れてもヘッド８９が脱落しにくい。
【産業上の利用可能性】
【００３０】
本発明は、パイプ状の柄を備えたハンマーに適用されうる。
【図面の簡単な説明】
【００３１】
【図１】図１は、本発明の一実施形態に係るハンマーが示された正面図である。
【図２】図２は、図１のハンマーが示された平面図である。
【図３】図３は、図２のIII−III線に沿った断面図である。
【図４】図４は、図３のハンマーの柄が破損した様子が示された断面図である。
【図５】図５は、本発明の他の実施形態に係るハンマーが示された平面図及び断面図である。
【図６】図６は、本発明の他の実施形態に係るハンマーが示された平面図及び断面図である。
【図７】図７は、本発明の他の実施形態に係るハンマーが示された平面図及び断面図である。
【符号の説明】
【００３２】
１、４１、６１、８５・・・ハンマー
３、４３、６３、８７・・・柄
５、４５、６５、８９・・・ヘッド                
７、４７、６７、９１・・・心棒
９、４９、６９、９３・・・柄の前端
１１、５１、７１、９５・・・心棒の前端
１３、５３、７３、９７・・・心棒の後端
１５、５５・・・ストッパー部
１７・・・把手部
１９、５９、８０、１０１・・・グリップ
２１、５５、７９、９９・・・柄の後端
２３・・・打撃面
２５・・・接合部
３３・・・心棒取付孔
３９・・・表面溶接部
７５・・・掛け留め具
７７・・・環状後端
８１・・・フック
８３・・・連結材
【図１】
2006110647.tif 000003
【図２】
2006110647.tif 000004
【図３】
2006110647.tif 000005
【図４】
2006110647.tif 000006
【図５】
2006110647.tif 000007
【図６】
2006110647.tif 000008
【図７】
2006110647.tif 000009